(57)【要約】【課題】特別表示部およびラウンド回数表示部を単一に構成すると共に、ラウンド回数表示部のみ視認性を高めるようにする。【解決手段】特別表示部４０および複数の上限ラウンド回数毎に個別に対応する複数のラウンド回数表示ＬＥＤ５１Ａ,５１Ｂ,５１Ｃを備えたラウンド回数表示部４１は、主制御基板に電気的に接続される単一の機能表示基板４５に設けられる。大型装飾部材３０の一部として構成される前側装飾板３４の裏側に、特別表示部４０およびラウンド回数表示部４１を前側から視認可能な状態で前記機能表示基板４５を配置する。ラウンド回数表記部６１を表記した上限ラウンド回数表示部材６０を、該ラウンド回数表記部６１が前記ラウンド回数表示部４１の各ラウンド回数表示ＬＥＤ５１Ａ,５１Ｂ,５１Ｃに対応して位置するように前記前側装飾板３４の前側に着脱可能に配置する。【選択図】図２
2009011680.tif 000002
【特許請求の範囲】
【請求項１】
主制御手段における抽選結果を複数の表示パターンにて表示可能な特別表示部を遊技盤に備え、特定の表示パターンが前記特別表示部に表示されることで遊技者にとって有利な特定遊技状態が発生し、この特定遊技状態の発生により開放した特別入賞装置が予め定められたラウンド終了条件で閉鎖することで１ラウンドとするラウンド遊技が行なわれると共に、ラウンド遊技の上限ラウンド回数が異なる２種類以上の特定遊技状態を発現し得るよう構成した遊技機において、
前記特別表示部および複数の上限ラウンド回数毎に個別に対応する複数の発光手段を備えたラウンド回数表示部を、前記主制御手段に電気的に接続される単一の基板に設け、
前記遊技盤に装着した装飾部材の裏側に、前記特別表示部およびラウンド回数表示部を前側から視認可能な状態で前記基板を配置すると共に、
複数の上限ラウンド回数を表記した上限ラウンド回数表示部材を、各上限ラウンド回数の表記部が前記ラウンド回数表示部の各発光手段に対応して位置するように前記装飾部材の前側に着脱可能に配置した
ことを特徴とする遊技機。
【請求項２】
前記特別表示部は、前記表示パターンを表示する少なくとも１つ以上の発光手段を備え、
前記装飾部材は、発光手段を備えた遊技部品の一部として構成され、
前記装飾部材の前面に施された意匠は、前記遊技部品の前面に施された意匠と関連している請求項１記載の遊技機。
【請求項３】
前記特別表示部は、前記表示パターンを表示する少なくとも１つ以上の発光手段を備え、
前記装飾部材は、発光手段を備えた遊技部品に隣接して配置され、
前記装飾部材の前面に施された意匠は、前記遊技部品の前面に施された意匠と関連している請求項１記載の遊技機。
【請求項４】
前記上限ラウンド回数表示部材は、透明な素材から形成されている請求項１〜３の何れか一項に記載の遊技機。
【発明の詳細な説明】
【技術分野】
【０００１】
本発明は、遊技機に関し、更に詳細には、上限ラウンド回数が異なる２種類以上の特定遊技状態を発現する遊技機に関するものである。
【背景技術】
【０００２】
遊技者にとって有利な特定遊技状態(大当たり状態)中に開閉制御される可変入賞装置(大入賞口)が開放してから閉成するまでを１ラウンドとした場合に、上限ラウンド回数(最大ラウンド回数)が異なる２種類以上の特定遊技状態を発現し得る遊技機が実施されている。このようなタイプの遊技機は、主制御基板における抽選結果を、複数の表示パターンにて表示可能な特別表示部を、遊技盤の所要位置に備えている。また前記遊技機は、複数の上限ラウンド回数を表示するラウンド回数表示部を遊技盤の所要位置に備え、遊技中に主制御基板における抽選結果により成立した特定遊技状態に対応する上限ラウンド回数を、遊技者に報知するようになっている。前記特別表示部およびラウンド回数表示部は、例えばＬＥＤ等の発光手段や７セグメントを備えている。このようなラウンド回数表示部を備えた遊技機は、例えば特許文献１に開示されている。
【０００３】
前記特別表示部は、表示パターンにより、特定遊技状態の成立有無および該特定遊技状態の終了後の遊技状態(例えば、大当たり終了後の確変付与の有無等)を確認することができるため、例えば前側(表側)に複雑な凹凸形状をなす意匠を施した装飾部材等に配設して、遊技者によって容易に認識され難い状態とする必要がある。一方、前記ラウンド回数表示部は、成立した特定遊技状態に対応する上限ラウンド回数を遊技者に報知するため、前記特別表示部とは逆に、遊技者によって認識され易い状態で配設する必要がある。しかもラウンド回数表示部は、複数の特定遊技状態における各上限ラウンド回数を明示するため、上限ラウンド回数に対応する数字を印刷したシールを、該ラウンド回数表示部を配設した装飾部材の表面に貼付けたり、該装飾部材の表面に数字を印刷するようになっている。
【特許文献１】特開２００６−９５１９７号公報
【発明の開示】
【発明が解決しようとする課題】
【０００４】
ところで、前記特別表示部およびラウンド回数表示部は、夫々を個別に製作して個別に遊技盤に組付けるようにすると、部品点数の増加および組付工数の増加等により製造コストが嵩んでしまう。従って、特別表示部およびラウンド回数表示部を単一の基板に設けるようにすれば、部品点数および組付工数が削減されて製造コストの低減が期待できる。しかるに、前述したように、特別表示部は認識され難い状態で配設する必要があるのに対し、ラウンド回数表示部は認識され易い状態で配設する必要があるため、両表示部を単一ユニットとして構成して相互が隣接するように遊技盤に装着することが困難であった。すなわち、ラウンド回数表示部の配設に適した部位に該ラウンド回数表示部および前記特別表示部を夫々隣接して配設した場合には、特別表示部が認識され易くなる問題がある。一方、特別表示部の配設に適した部位に該特別表示部およびラウンド回数表示部を設置した場合には、前記装飾部材の意匠面が複雑な凹凸形状となっていることが多いため、上限ラウンド回数を表記した前記シールの貼付けや数字の印刷に困難を来たす問題があった。
【０００５】
またラウンド回数表示部では、上限ラウンド回数を印刷により表記すると、例えば設計変更による遊技内容の変更に伴い、特定遊技状態における各上限ラウンド回数を変更した場合や、ラウンド回数表示部の取付位置を変更する場合には、装飾部材等も取り替えなければならず、製造コストが大幅に嵩んでしまう等の不都合があった。
【０００６】
そこで本発明では、前述した従来の技術に内在している課題に鑑み、これを好適に解決するべく提案されたものであって、特別表示部およびラウンド回数表示部を単一に構成して製造コストの低減化および組付作業の効率化を図り、併せて特別表示部が容易に認識されることなくラウンド回数表示部のみの視認性を高めることができ、かつ設計変更等にも容易に対応し得る遊技機を提供することを目的とする。
【課題を解決するための手段】
【０００７】
前記課題を解決し、所期の目的を達成するため、請求項１に記載の発明は、主制御手段(70)における抽選結果を複数の表示パターンにて表示可能な特別表示部(40)を遊技盤(10)に備え、特定の表示パターンが前記特別表示部(40)に表示されることで遊技者にとって有利な特定遊技状態が発生し、この特定遊技状態の発生により開放した特別入賞装置(16)が予め定められたラウンド終了条件で閉鎖することで１ラウンドとするラウンド遊技が行なわれると共に、ラウンド遊技の上限ラウンド回数が異なる２種類以上の特定遊技状態を発現し得るよう構成した遊技機において、
前記特別表示部(40)および複数の上限ラウンド回数毎に個別に対応する複数の発光手段(51A,51B,51C)を備えたラウンド回数表示部(41)を、前記主制御手段(70)に電気的に接続される単一の基板(45)に設け、
前記遊技盤(10)に装着した装飾部材(34)の裏側に、前記特別表示部(40)およびラウンド回数表示部(41)を前側から視認可能な状態で前記基板(45)を配置すると共に、
複数の上限ラウンド回数を表記した上限ラウンド回数表示部材(60)を、各上限ラウンド回数の表記部(61)が前記ラウンド回数表示部(41)の各発光手段(51A,51B,51C)に対応して位置するように前記装飾部材(34)の前側に着脱可能に配置したことを要旨とする。
【０００８】
従って、請求項１に係る発明によれば、特別表示部およびラウンド回数表示部を単一に構成し、前面に意匠を施した装飾部材の裏側に一体的に配置するようにしたので、基板点数が少なくなって製造コストの低減化および組付作業の効率化を図り得る。そして、上限ラウンド回数を表記した上限ラウンド回数表示部材を装飾部材に対して前側から着脱可能に装着したので、上限ラウンド回数を表示するに際して装飾部材に施される意匠形状が制約されることがなく、特別表示部の存在を容易に認識させることなくラウンド回数表示部の視認性を高めることができる。また、各特定遊技状態に対応した各上限ラウンド回数毎に個別に発光手段が発光制御されるため、遊技者に対して上限ラウンド回数を明確に明示し得る。更に、前記上限ラウンド回数表示部材が着脱可能となっているので、例えば設計変更による遊技内容の変更に伴い、特定遊技状態における各上限ラウンド回数を変更した場合は、該上限ラウンド回数表示部材だけを交換すればよく、設計変更等に対して容易に対応し得る。
【０００９】
請求項２に記載の発明では、前記特別表示部(40)は、前記表示パターンを表示する少なくとも１つ以上の発光手段(50)を備え、
前記装飾部材(34)は、発光手段(32)を備えた遊技部品(30)の一部として構成され、
前記装飾部材(34)の前面(35)に施された意匠は、前記遊技部品(30)の前面(31)に施された意匠と関連していることを要旨とする。
【００１０】
従って、請求項２に係る発明によれば、特別表示部において発光手段により各特定遊技状態に対応した表示パターンを表示しても、特別表示部の発光手段による点灯表示と遊技部品の発光手段による点灯表示とが連動しているように見えるので、該特別表示部の存在が容易に認識され難くなる。しかも、装飾部材が遊技部品の一部を構成していて、これら装飾部材の前面および遊技部品の前面に関連のある意匠が施されているので、該装飾部材の裏側に配置された特別表示部の存在がより一層認識し難くなる。
【００１１】
請求項３に記載の発明では、前記特別表示部(40)は、前記表示パターンを表示する少なくとも１つ以上の発光手段(50)を備え、
前記装飾部材(34)は、発光手段(32)を備えた遊技部品(30)に隣接して配置され、
前記装飾部材(34)の前面(35)に施された意匠は、前記遊技部品(30)の前面(31)に施された意匠と関連していることを要旨とする。
【００１２】
従って、請求項３に係る発明によれば、特別表示部において複数の発光手段により各特定遊技状態に対応した表示パターンを表示しても、特別表示部の発光手段による点灯表示と遊技部品の発光手段による点灯表示とが連動しているように見えるので、該特別表示部の存在が容易に認識され難くなる。しかも、装飾部材が遊技部品に隣接して配置されていて、これら装飾部材の前面および遊技部品の前面に関連のある意匠が施されているので、該装飾部材の裏側に配置された特別表示部の存在がより一層認識し難くなる。
【００１３】
請求項４に記載の発明では、前記上限ラウンド回数表示部材(60)は、透明な素材から形成されていることを要旨とする。
従って、請求項４に係る発明によれば、装飾部材の前面に施された意匠およびラウンド回数表示部が、上限ラウンド回数表示部材を透過して適切に視認される。
【発明の効果】
【００１４】
本発明に係る遊技機によれば、特別表示部およびラウンド回数表示部を単一に構成したので、製造コストの低減化および組付作業の効率化を図り得る。また、特別表示部の存在を容易に認識させることなく、ラウンド回数表示部の視認性を高めることができる。更に、設計変更等にも容易に対応し得る。
【発明を実施するための最良の形態】
【００１５】
次に、本発明に係る遊技機につき、好適な実施例を挙げて、添付図面を参照しながら以下詳細に説明する。本願は、ラウンド遊技の上限ラウンド回数が異なる２種類以上の特定遊技状態を発現し得るよう構成したパチンコ機を対象としており、実施例では、上限ラウンド回数を、２回、１５回および１６回とした合計３種類の特定遊技状態を発現し得るパチンコ機を引用して説明する。なお実施例では、図１における手前側を遊技盤１０の前側または正面側、奥側を後側または背面側と指称して説明する。
【実施例】
【００１６】
図１は、実施例のパチンコ機内に配設される遊技盤の正面図である。この遊技盤１０は、その前側盤面に、略円形状に湾曲形成したレール１１が配設されて、該レール１１の内側に遊技領域１２が画成されている。前記遊技領域１２内の盤面中央には、枠体状に構成された遊技部品としての大型装飾部材３０(「センター役物」と云う)が設置され、この大型装飾部材３０の内側に窓部１４が開設されている。前記大型装飾部材３０の下部には、遊技球の入球を検知するスイッチを装備した始動入賞具１５が配設され、この始動入賞具１５の直下方には、横長の開閉扉を備えた特別入賞装置１６が配設されている。前記始動入賞具１５には開閉羽根１７,１７が配設され、後述する主制御基板(制御基板)７０において実行される抽選結果により「開閉動作あり」の条件が成立した際には、両開閉羽根１７,１７が所定時間だけ左右へ開放制御されるようになっている。また、遊技盤１０の後側には、主制御基板７０において実行される特別図柄の抽選結果に基づいて図柄の変動や各種演出の表示を行なう演出表示装置(図柄表示装置とも云う(図６参照))１８や各種装備品が配設され、この演出表示装置１８の表示画面(例えば液晶画面)１９が前記窓部１４に臨んでいる。なお、演出表示装置１８の演出制御は、図６に示すように、主制御基板７０により制御されるサブ統括制御基板７１のサブ統括制御回路を介して行なわれる。
【００１７】
遊技領域１２の下部左側には、発光手段としての第２電飾ＬＥＤ２１が設置されたサイドランプ(遊技部品)２０が配設されている。各第２電飾ＬＥＤ２１は、図６に示すように、サブ統括制御基板７１における音・ランプ制御回路を介して点灯制御される。更に、前記遊技盤１０の遊技領域１２において前記大型装飾部材３０の左側および下側には、遊技領域１２内を流下する遊技球に変化を与える回転体(風車とも云う)２２や、遊技球を前記始動入賞具１５や特別入賞装置１６へ誘導する多数の釘２３が打設されている。また、図１中の符号２４は球検出ゲートであり、符号２５はアウト口である。このように構成された遊技盤１０では、遊技者による発射操作に基づいて打球発射装置が作動すると、該装置から発射された遊技球が、前記レール１１に沿って遊技領域１２に順次打出される。そして、遊技領域１２内へ打出された遊技球は、大型装飾部材３０の左側面に沿って遊技領域１２を流下し、該遊技球の一部が前記始動入賞具１５に入球すると、図６に示すように、この入球に伴う検出信号が主制御基板７０に出力される。
【００１８】
前記窓部１４を囲繞する前記大型装飾部材３０は、図１に示すように、当該パチンコ機のゲーム内容(演出表示装置１８による演出内容)に関連した意匠(装飾および色彩等)が施されており、例えば正面右側部分の前面３１には多数の花や花びら等が再現されている。また大型装飾部材３０は、光の透過を許容する半透明の合成樹脂から形成されており、発光手段としての多数の第１電飾ＬＥＤ３２が、該大型装飾部材３０の裏側において略全周に亘って点在するように配置されている。これにより、各第１電飾ＬＥＤ３２が個別または連動して点灯制御されることで、演出表示装置１８における演出効果を高めるようになっている。前記各第１電飾ＬＥＤ３２は、図６に示すように、前記サイドランプ２０に配置された前記第２電飾ＬＥＤ２１と同様に、主制御基板７０により制御される前記サブ統括制御基板７１の音・ランプ制御回路を介して点灯制御される。
【００１９】
そして、実施例のパチンコ機における遊技盤１０では、図１および図２に示すように、遊技領域１２内における右下部に、当該パチンコ機の遊技状態を表示する表示部、具体的には特別表示部４０、ラウンド回数表示部４１、普通表示部４２、保留表示部４３および状態表示部４４等が、相互に隣接するよう纏めて配設されている。これら特別表示部４０、ラウンド回数表示部４１、普通表示部４２、保留表示部４３および状態表示部４４は、図４に示すように、ハーネス(図示省略)を介して主制御基板７０に接続される１枚の機能表示基板(基板)４５に纏めて設置されており、単一のユニット化部材として構成されている。そして、各表示部４０,４１,４２,４３,４４は、夫々が少なくとも１個以上の発光手段としての表示ＬＥＤ５０,５１(５１Ａ,５１Ｂ,５１Ｃ),５２(５２Ａ,５２Ｂ),５３(５３Ａ,５３Ｂ),５４(５４Ａ,５４Ｂ)を備えており、該表示ＬＥＤ５０,５１,５２,５３,５４の点灯制御により所定の状態を表示し得るようになっている。
【００２０】
機能表示基板４５は、前記大型装飾部材３０の右下部において該大型装飾部材３０の一部を構成する前側装飾板(装飾部材)３４の裏側に配置され、この右下部の輪郭形状に合致する複雑な外縁輪郭形状に形成されたプリント基板である。機能表示基板４５の表側には、各表示部４０,４１,４２,４３,４４における各表示ＬＥＤ５０,５１,５２,５３,５４を設置するための第１〜第５の設置部４５Ａ,４５Ｂ,４５Ｃ,４５Ｄ,４５Ｅが形成されていると共に、該基板４５の裏側には、主制御基板７０と電気的に接続されるハーネス(図示せず)のコネクタ端子が連結されるコネクタ４６を備えており、かつ該基板４５の裏側には、前記各設置部４５Ａ,４５Ｂ,４５Ｃ,４５Ｄ,４５Ｅとコネクタ４６の各ピンとを連結する所定の配線パターンが形成されている。このような機能表示基板４５には、前記前側装飾板３４の裏側において大型装飾部材３０に対して複数個のネジ等で固定するためのネジ挿通孔４７が所定位置に形成されている。
【００２１】
特別表示部４０は、前記始動入賞具１５に遊技球が入球することを契機として主制御基板７０(図６)において実行される特別図柄の抽選結果を、複数の表示パターンにて表示するためのものである。実施例の特別表示部４０は、図３および図４に示すように、７個の特別表示ＬＥＤ(発光手段)５０を備えており、各特別表示ＬＥＤ５０は、機能表示基板４５に設けた前記第１設置部４５Ａに取付けられている。各特別表示ＬＥＤ５０は、図６に示すように、主制御基板７０により個別に点灯制御され、点灯した特別表示ＬＥＤ５０の組合わせにより複数の表示パターンを発現し得るようになっている。
【００２２】
なお、特別表示部４０を構成する特別表示ＬＥＤ５０の配設数は７個に限定されるものではなく、少なくとも１個以上あればよい。例えば、１個の特別表示ＬＥＤ５０から構成した場合には、点灯色が変更可能なＬＥＤを特別表示ＬＥＤ５０として使用すれば、点灯制御および点灯色の変更制御とを組み合わせることで多数の表示パターンを発現可能である。
【００２３】
ラウンド回数表示部４１は、前述した主制御基板７０における特別図柄の抽選結果により特定遊技状態が成立した場合に、成立した該特定遊技状態に対応する上限ラウンド回数を、遊技者に報知するためのものである。実施例のパチンコ機は、前述したように、上限ラウンド回数を２回に設定した第１特定遊技状態、上限ラウンド回数を１５回に設定した第２特定遊技状態、そして上限ラウンド回数を１６回に設定した第３特定遊技状態と、合計３種類の特定遊技状態を発現するように設計されている。従ってラウンド回数表示部４１は、３種類の各特定遊技状態に夫々対応する３個のラウンド回数表示ＬＥＤ(発光手段)５１Ａ,５１Ｂ,５１Ｃにより構成され、各ラウンド回数表示ＬＥＤ５１Ａ,５１Ｂ,５１Ｃは、機能表示基板４５に設けた前記第２設置部４５Ｂに夫々取付けられる。そして、各ラウンド回数表示ＬＥＤ５１Ａ,５１Ｂ,５１Ｃは、図６に示すように、主制御基板７０により個別に点灯制御され、主制御基板７０における抽選結果として第１特定遊技状態が成立した場合には第１ラウンド回数表示ＬＥＤ５１Ａが点灯し、第２特定遊技状態が成立した場合には第２ラウンド回数表示ＬＥＤ５１Ｂが点灯し、第３特定遊技状態が成立した場合には第３ラウンド回数表示ＬＥＤ５１Ｃが点灯するよう構成されている。
【００２４】
普通表示部４２は、前記球検出ゲート２４を遊技球が通過して、その検出信号が主制御基板７０に入力された際に、該主制御基板７０において実行される前記開閉羽根１７の開閉動作有無の抽選結果を表示するものである。この普通表示部４２は、図３および図４に示すように、第１および第２からなる２個の普通表示ＬＥＤ５２Ａ,５２Ｂから構成され、これら第１普通表示ＬＥＤ５２Ａおよび第２普通表示ＬＥＤ５２Ｂは、機能表示基板４５に設けた前記第３設置部４５Ｃに夫々取付けられている。第１普通表示ＬＥＤ５２Ａおよび第２普通表示ＬＥＤ５２Ｂは、所要の点滅時間に亘って交互に点滅するよう点灯制御された後、主制御基板７０における抽選結果が「開閉動作あり」の場合には、第１普通表示ＬＥＤ５２Ａが点灯した状態で停止し、前記始動入賞具１５に設けた開閉羽根１７,１７が所定時間および所定回数だけ開放制御される。また、主制御基板７０における抽選結果が「開閉動作なし」の場合には、第２普通表示ＬＥＤ５２Ｂが点灯した状態で停止し、該開閉羽根１７,１７の開放制御は行なわれない。
【００２５】
保留表示部４３は、始動入賞具１５に入球した遊技球(入賞球)の保留個数を表示する第１保留表示部４３Ａと、球検出ゲート２４を通過した遊技球(通過球)の保留個数を表示する第２保留表示部４３Ｂとを備えている。第１保留表示部４３Ａは、２個の第１保留表示ＬＥＤ５３Ａ,５３Ａから構成され、各々が個別に点灯または点滅制御されることで４個の保留個数まで表示可能となっている。また第２保留表示部４３Ｂは、２個の第２保留表示ＬＥＤ５３Ｂ,５３Ｂから構成され、各々が個別に点灯または点滅制御されることで４個の保留個数まで表示可能となっている。前記各第１保留表示ＬＥＤ５３Ａおよび各第２保留表示ＬＥＤ５３Ｂは、機能表示基板４５に設けた前記第４設置部４５Ｄに夫々取付けられている。
【００２６】
状態表示部４４は、現在のパチンコ機の状態を表示するもので、該パチンコ機が変動時間短縮機能の作動中(時短状態中)であるか否か、または復電時(電源投入時)に確率変動機能の作動中であるか否かを表示するものである。この状態表示部４４は、図４に示すように、２個の状態表示ＬＥＤ５４Ａ,５４Ｂから構成され、各状態表示ＬＥＤ５４Ａ,５４Ｂは、機能表示基板４５に設けた前記第５設置部４５Ｅに夫々取付けられている。そして、パチンコ機が変動時間短縮状態となっている場合には、第１状態表示ＬＥＤ５４Ａが点灯するよう制御され、復電時に確率変動状態となっている場合には、第２状態表示ＬＥＤ５４Ｂが点灯するよう制御される。
【００２７】
なお、前記「変動時間短縮機能」とは、特定遊技状態の終了後に、(1)主制御基板７０により実行される前記開閉羽根１７,１７の開閉動作有無の抽選において「開閉動作あり」の条件が成立する抽選確率の変化、(2)開閉羽根１７,１７の開閉動作パターンの変化、(3)普通表示部４２における第１普通表示ＬＥＤ５２Ａおよび第２普通表示ＬＥＤ５２Ｂの点滅時間の変化、の何れかを付与する機能である。また、前記「確率変動機能」とは、特定遊技状態が終了した後に、前記主制御基板７０における抽選の確率(特別表示部４０における大当たりの当選確率)を、低確率(通常状態)から高確率(確率変動状態)に変動させる機能である。
【００２８】
大型装飾部材３０に取付けた前記機能表示基板４５の前側に位置する前記前側装飾板３４は、図２〜図４に示すように、該前側装飾板３４の前面３５に施された意匠が、前記大型装飾部材３０の前面３１に施された意匠と関連している。すなわち、大型装飾部材３０における正面右側部分の前面３１には、前述すると共に図１および図２に示すように、花および花びら等からなる意匠が施されており、前側装飾板３４の前面には、これら花や花びらと類似した形状の花や花びら等からなる意匠が施されている。また、前側装飾板３４の前面３５の色彩・色調は、大型装飾部材３０の前面３１と類似した色彩・色調に構成されている。更に前側装飾板３４は、光の透過が可能な透明または半透明の素材から構成されている。
【００２９】
前記特別表示部４０、ラウンド回数表示部４１、普通表示部４２、保留表示部４３および状態表示部４４を備えた機能表示基板４５は、図２および図３に示すように、前記大型装飾部材３０における右下部に配設された前記前側装飾板３４の裏側に、これら各表示部４０,４１,４２,４３,４４を前側から視認可能な状態で配置され、適宜のネジを利用して該大型装飾部材３０に固定される。そして、機能表示基板４５が大型装飾部材３０の所定位置に取付けられた際には、各表示部４０,４１,４２,４３,４４を構成する各表示ＬＥＤ５０,５１(５１Ａ,５１Ｂ,５１Ｃ),５２(５２Ａ,５２Ｂ),５３(５３Ａ,５３Ｂ),５４(５４Ａ,５４Ｂ)の先端が、前側装飾板３４の前面３５に施された花や花びらの部分に夫々整合するようになっている。従って、各表示ＬＥＤ５０,５１,５２,５３,５４が点灯した際には、その光が前側装飾板３４を透過して前側から認識され、遊技盤１０の前側からは花や花びらが発光するような効果が発揮されるよう構成されている。
【００３０】
そして、実施例のパチンコ機では、図１〜図３に示すように、３種類の上限ラウンド回数を表記した上限ラウンド回数表示部材６０を、前記前側装飾板３４の前側に着脱可能に配置するように構成されている。この上限ラウンド回数表示部材６０は、図３〜図５に示すように、前記ラウンド回数表示部４１、普通表示部４２および保留表示部４３が配設された部位を略覆蓋する平板状部材として構成されている。但し、上限ラウンド回数表示部材６０は透明な合成樹脂から成形されており、前側装飾板３４の前側に該上限ラウンド回数表示部材６０を配置した状態でも、前側装飾板３４の前面３５に施された意匠が視認されると共に、ラウンド回数表示部４１、普通表示部４２および保留表示部４３の各表示ＬＥＤ５１Ａ,５１Ｂ,５１Ｃ,５２Ａ,５２Ｂ,５３Ａ,５３Ｂの点灯状態が適切に視認されるようになっている。
【００３１】
そして前記上限ラウンド回数表示部材６０には、前記ラウンド回数表示部４１の各ラウンド回数表示ＬＥＤ５１Ａ〜５１Ｃに対応するように位置するラウンド回数表記部６１が設けられている。すなわちラウンド回数表記部６１は、第１特定遊技状態の成立時に点灯する第１ラウンド回数表示ＬＥＤ５１Ａに対応した第１数字６２(数字「２」)と、第２特定遊技状態の成立時に点灯する第２ラウンド回数表示ＬＥＤ５１Ｂに対応した第２数字６３(数字「１５」)と、第３特定遊技状態の成立時に点灯する第３ラウンド回数表示ＬＥＤ５１Ｃに対応した第３数字６４(数字「１６」)とから構成され、夫々が対応する表示ＬＥＤのちょうど前側に位置している。従って、遊技中に上限ラウンド回数が２回の第１特定遊技状態が成立した際には、第１数字６２の後方に位置する第１ラウンド回数表示ＬＥＤ５１Ａが点灯することが視認され、第１特定遊技状態が成立したことが容易かつ明確に認識される。また、遊技中に上限ラウンド回数が１５回の第２特定遊技状態が成立した際には、第２数字６３の後方に位置する第２ラウンド回数表示ＬＥＤ５１Ｂが点灯することが視認され、第２特定遊技状態が成立したことが容易かつ明確に認識される。更に、遊技中に上限ラウンド回数が１６回の第３特定遊技状態が成立した際には、第３数字６４の後方に位置する第３ラウンド回数表示ＬＥＤ５１Ｃが点灯することが視認され、第３特定遊技状態が成立したことが容易かつ明確に認識される。
【００３２】
なお前記ラウンド回数表記部６１は、前記上限ラウンド回数表示部材６０の表面に対して印刷により表記されている。但し前記ラウンド回数表記部６１は、透明シール材の表面に印刷したもとで、該透明シール材を前記上限ラウンド回数表示部材６０に貼付けることにより、該上限ラウンド回数表示部材６０に表記することも可能である。このような印刷による表記方法およびシール材による表記方法では、前側装飾板３４に取付ける前の上限ラウンド回数表示部材６０に対してラウンド回数表記部６１を設けることが可能であると共に、該上限ラウンド回数表示部材６０が平板状部材であるから作業を簡易に行なうことが可能である。
【００３３】
また前記上限ラウンド回数表示部材６０には、普通表示部４２の各普通表示ＬＥＤ５２Ａ,５２Ｂに対応するように位置する普通図柄表記部６５も設けられている。すなわち普通図柄表記部６５は、第１普通表示ＬＥＤ５２Ａに対応した第１記号６６(記号「○」)と、第２普通表示ＬＥＤ５２Ｂに対応した第２記号６７(記号「×」)とから構成され、夫々が対応の普通表示ＬＥＤ５２Ａ,５２Ｂの前方に位置している。従って、遊技中に第１記号６６の後方に位置する第１普通表示ＬＥＤ５２Ａが発光した際には、前記始動入賞具１５の開閉羽根１７,１７の「開閉動作あり」が成立したことが容易かつ明確に認識され、第２記号６７の後方に位置する第２普通表示ＬＥＤ５２Ｂが発光した際には、前記開閉羽根１７,１７の「開閉動作あり」が成立しなかったことが容易かつ明確に認識される。なお前記普通図柄表記部６５も、前記ラウンド回数表記部６１と同様に、上限ラウンド回数表示部材６０に直接印刷したり、該普通図柄表記部６５を印刷したシール材を貼着することにより、該上限ラウンド回数表示部材６０に設けられる。
【００３４】
前記上限ラウンド回数表示部材６０は、図５(ａ)および図５(ｂ)に示すように、裏側の端縁部近傍に突設した位置決めボス６８,６８と、先端にネジ孔を形成して突設した取付けボス６９とを備えている。前記各位置決めボス６８,６８は、図４に示すように、前記前側装飾板３４に形成された位置決め孔３６,３６に突入嵌合し得るようになっており、各位置決めボス６８を対応の各位置決め孔３６に嵌合させることで、該前側装飾板３４に対する上限ラウンド回数表示部材６０の位置決めが図られるよう構成されている。また取付けボス６９は、図４に示すように、前記前側装飾板３４に対して上限ラウンド回数表示部材６０を位置決めした際に、該前側装飾板３４に形成されたネジ通孔３７に整合し得るようになっており、前側装飾板３４の裏側から前記ネジ通孔３７を介して取付けボス６９のネジ孔にネジを締め込むことにより、前側装飾板３４に対する当該上限ラウンド回数表示部材６０の固定が図られるよう構成されている。
【００３５】
(実施例の作用)
次に、前述のように構成された実施例のパチンコ機の作用について説明する。実施例のパチンコ機は、主電源を投入すると、主制御基板７０において所定の初期設定が実行され、その際に前回の電源遮断時点での当該パチンコ機の遊技状態を確認する。そして、前回の電源遮断時点での遊技状態が確変中であったか否かを確認し、確変中であった場合には、引き続き確変状態を維持すると共に前記状態表示部４４における第２状態表示ＬＥＤ５４Ｂを点灯させ、確変中でなかった場合には該第２状態表示ＬＥＤ５４Ｂを点灯させない。また、前記大型装飾部材３０に配置された各第１電飾ＬＥＤ３２と、前記サイドランプ２０に配置された各第２電飾ＬＥＤ２１とが、サブ統括制御基板７１の音・ランプ制御基板による所要の点灯制御に基づき、点灯または点滅するようになる。一方、演出表示装置１８は、サブ統括制御基板７１のサブ統括制御回路による所要の演出表示制御に基づき、遊技前の遊技待機画像を表示する。
【００３６】
遊技者によるパチンコ遊技が開始され、打球発射装置の作動に基づいて遊技盤１０の遊技領域１２内へ打出された遊技球は、大型装飾部材３０の左側面に沿って遊技領域１２を流下する。そして、遊技領域１２内を流下する遊技球は、釘２３および各回転体２２に適宜接触しながら流下方向が変更され、該遊技球の一部が前記始動入賞具１５に入球するようになると共に、残りの遊技球は遊技領域１２の最下部に位置する前記アウト口２５を介して盤後側へ回収される。
【００３７】
前記始動入賞具１５に遊技球が入球して、該始動入賞具１５に配設したスイッチが遊技球の入球を検出すると、図６に示すように、その検出信号が前記主制御基板７０に入力され、これを契機として該主制御基板７０においては所定の演算プログラムが実行され、特別図柄の抽選が実行される。そして、主制御基板７０における特別図柄の抽選が完了すると、前記特別表示部４０における演出態様(各特別表示ＬＥＤ５０の点灯および点滅等)が決定される。この抽選結果に基づき、サブ統括制御基板７１では、サブ統括制御回路により演出表示装置１８における３列の図柄変動制御を行なうと共に、音・ランプ制御回路により大型装飾部材３０の各第１電飾ＬＥＤ３２およびサイドランプ２０の各第２電飾ＬＥＤ２１の点灯制御を行なう。
【００３８】
また特別表示部４０では、前記主制御基板７０により各特別表示ＬＥＤ５０の点灯制御が行なわれ、決定された所定の演出態様を実行した後に、抽選結果により決定された図柄に対応した所定の表示パターンを表示する。但し、各特別表示ＬＥＤ５０により特別表示部４０に所定の表示パターンが表示されても、遊技盤１０の前面側からは前側装飾板３４の前面３５に施された花や花びらが点灯または点滅しているように視認され、遊技者にとっては特別表示部４０の特別表示ＬＥＤ５０と大型装飾部材３０の第１電飾ＬＥＤ３２とが連動しているように見えるので、特別表示部４０の存在が容易に認識されない。しかも、図２に示すように、前側装飾板３４が大型装飾部材３０の一部を構成していて、これら前側装飾板３４の前面３５および大型装飾部材３０の前面３１には互いに関連のある意匠(花や花びら等)が施されているので、該前側装飾板３４の裏側に配置された特別表示部４０の存在がより一層認識し難い。
【００３９】
なお、主制御基板７０における特別図柄の抽選結果により前記３種類の特定遊技状態が成立しなかった場合には、前記ラウンド回数表示部４１では、前記主制御基板７０による制御に基づき、各ラウンド回数表示ＬＥＤ５１Ａ,５１Ｂ,５１Ｃは何れも点灯しない。従って遊技者は、上限ラウンド回数表示部材６０に表記されたラウンド回数表記部６１の第１〜第３の各数字６２,６３,６４に対応した部分が点灯表示されないため、特定遊技状態が成立しなかったことを容易に認識できる。
【００４０】
一方、主制御基板７０における特別図柄の抽選結果により前記３種類の何れかの特定遊技状態が成立した場合には、前記ラウンド回数表示部４１では、前記主制御基板７０による制御に基づき、各ラウンド回数表示ＬＥＤ５１Ａ,５１Ｂ,５１Ｃの何れかが点灯する。すなわち、抽選結果により第１特定遊技状態が成立した場合には、上限ラウンド回数表示部材６０に表記された第１数字６２の後方に位置する第１ラウンド回数表示ＬＥＤ５１Ａが点灯するので、第１特定遊技状態が成立したことを遊技者に認識させることができる。また、第２特定遊技状態が成立した場合には、上限ラウンド回数表示部材６０に表記された第２数字６３の後方に位置する第２ラウンド回数表示ＬＥＤ５１Ｂが点灯するので、第２特定遊技状態が成立したことを遊技者に認識させることができる。更に、第３特定遊技状態が成立した場合には、上限ラウンド回数表示部材６０に表記された第３数字６４の後方に位置する第３ラウンド回数表示ＬＥＤ５１Ｃが点灯するので、第３特定遊技状態が成立したことを遊技者に認識させることができる。
【００４１】
前述した３種類の何れかの特定遊技状態となった場合には、主制御基板７０の制御により、特別入賞装置１６の開閉扉が特定遊技状態に対応した上限ラウンド回数に亘って開閉される。そして特別入賞装置１６では、予め設定された開放時間の経過または所要個数(例えば１０個)の入球完了の何れかが成立した時点で１ラウンドが終了し、成立した特定遊技状態の上限ラウンド回数に亘って各ラウンドを実行する。なお、特定遊技状態が発現したことに伴う変動短縮状態中は、前記状態表示部４４における第１状態表示ＬＥＤ５４Ａが点灯し、変動短縮状態が終了すると該第１状態表示ＬＥＤ５４は消灯する。
【００４２】
そして、前記主制御基板７０により特別表示部４０が表示パターンの表示前の演出を行なっている際に前記始動入賞具１５に遊技球が入球して、該始動入賞具１５に配設したスイッチが遊技球の入球を検出した場合には、前記主制御基板７０による制御に基づき、保留表示部４３における第１保留表示部４３Ａを構成する２個の第１保留表示ＬＥＤ５３Ａ,５３Ａが点灯または点滅制御され、最大４個の入賞球の保留球数を表示する。例えば、入賞球の保留球数が１個の場合は、図４における上方の第１保留表示ＬＥＤ５３Ａだけが点灯し、入賞球の保留球数が２個になった場合は、上方の第１保留表示ＬＥＤ５３Ａおよび下方の第１保留表示ＬＥＤ５３Ａの両方が点灯する。更に、入賞球の保留球数が３個になった場合は、図４における上方の第１保留表示ＬＥＤ５３Ａだけが点滅し、入賞球の保留球数が４個の場合は、上方の第１保留表示ＬＥＤ５３Ａおよび下方の第１保留表示ＬＥＤ５３Ａの両方が点滅する。但し、保留表示部４３において各第１保留表示ＬＥＤ５３Ａが点灯または点滅すると、遊技盤１０の前面側からは前側装飾板３４の前面３５に施された花びらが点灯または点滅しているように視認され、該第１保留表示ＬＥＤ５３Ａと大型装飾部材３０の第１電飾ＬＥＤ３２とが連動しているように見える。
【００４３】
一方、遊技盤１０の遊技領域１２内に打出された遊技球が、遊技領域１２内を流下する際に球検出ゲート２４を通過して、該球検出ゲート２４に配設したスイッチが遊技球の通過を検出すると、図６に示すように、その検出信号が前記主制御基板７０に入力され、これを契機として該主制御基板７０においては所定の演算プログラムが実行され、前記始動入賞具１５における前記開閉羽根１７の開閉動作有無の抽選が実行される。そして、抽選結果が「開閉動作あり」の場合には、主制御基板７０の制御により前記普通表示部４２の各普通表示ＬＥＤ５２Ａ,５２Ｂを所定時間に亘って交互に点灯するよう点滅させた後に、上限ラウンド回数表示部材６０に表記された第１記号６６の後方に位置する第１普通表示ＬＥＤ５２Ａを点灯させ、開閉羽根１７,１７が開閉動作することを遊技者に認識させる。また、抽選結果が「開閉動作なし」の場合には、主制御基板７０の制御により前記普通表示部４２の各普通表示ＬＥＤ５２Ａ,５２Ｂを所定時間に亘って交互に点灯するよう点滅させた後に、上限ラウンド回数表示部材６０に表記された第２記号６７の後方に位置する第２普通表示ＬＥＤ５２Ｂを点灯させ、開閉羽根１７,１７が開閉動作しないことを遊技者に認識させる。なお、抽選結果が「開閉動作あり」の場合には、始動入賞具１５に設けた開閉羽根１７,１７が所要時間だけ開放制御される。
【００４４】
そして、前記主制御基板７０により普通表示部４２が点滅している際に前記球検出ゲート２４を遊技球が通過して、該球検出ゲート２４に配設したスイッチが遊技球の通過を検出した場合には、前記主制御基板７０による制御に基づき、保留表示部４３における第２保留表示部４３Ｂを構成する２個の第２保留表示ＬＥＤ５３Ｂが点灯または点滅制御され、最大４個の通過球の保留球数を表示する。例えば、通過球の保留球数が１個の場合は、図４における上方の第２保留表示ＬＥＤ５３Ｂだけが点灯し、通過球の保留球数が２個になった場合は、上方の第２保留表示ＬＥＤ５３Ｂおよび下方の第２保留表示ＬＥＤ５３Ｂの両方が点灯する。更に、通過球の保留球数が３個になった場合は、図４における上方の第２保留表示ＬＥＤ５３Ｂだけが点滅し、通過球の保留球数が４個の場合は、上方の第２保留表示ＬＥＤ５３Ｂおよび下方の第２保留表示ＬＥＤ５３Ｂの両方が点滅する。但し、保留表示部４３において各第２保留表示ＬＥＤ５３Ｂが点灯または点滅すると、遊技盤１０の前面側からは前側装飾板３４の前面３５に施された花びらが点灯または点滅しているように視認され、該第２保留表示ＬＥＤ５３Ｂと大型装飾部材３０の第１電飾ＬＥＤ３２とが連動しているように見える。
【００４５】
以上のように構成された実施例のパチンコ機では、次のような作用効果を奏する。先ず、特別表示部４０、ラウンド回数表示部４１、普通表示部４２、保留表示部４３および状態表示部４４を１枚の機能表示基板４５に設置して単一に構成し、大型装飾部材３０の一部を構成して前面３５に意匠を施した前側装飾板３４の裏側に一体的に配置するようにしたので、基板点数が少なくなって製造コストの低減化が図られると共に、大型装飾部材３０に対する組付工数も減って組付作業の効率化を図り得る。また、前側装飾板３４の前面３５には、大型装飾部材３０の前面３１に施した意匠と関連のある意匠が施されているので、該前側装飾板３４の裏側に、特別表示部４０、ラウンド回数表示部４１、普通表示部４２、保留表示部４３および状態表示部４４を設置しても、大型装飾部材３０の意匠性が何等損なわれることはない。
【００４６】
そして、特別表示部４０、保留表示部４３および状態表示部４４においては、特別表示ＬＥＤ５０、保留表示ＬＥＤ５３(５３Ａ,５３Ｂ)、状態表示ＬＥＤ５４(５４Ａ,５４Ｂ)が点灯しても、前側装飾板３４の前面３５に施された意匠が点灯しているように視認されて、これら表示ＬＥＤと大型装飾部材３０に設置した第１電飾ＬＥＤ３２とが連動して点灯しているように見えるので、遊技者から容易に認識され難くなっている。一方、ラウンド回数表示部４１および普通表示部４２は、ラウンド回数表記部６１および普通表記部６５を表記した上限ラウンド回数表示部材６０を前側装飾板３４に前側から着脱可能に装着したので、ラウンド回数表示ＬＥＤ５１および普通表示ＬＥＤ５２が大型装飾部材３０に設置した第１電飾ＬＥＤ３２と連動するように点灯しても、ラウンド回数表示部４１および普通表示部４２の視認性を高めることができる。すなわち実施例では、上限ラウンド回数表示部材６０を装着することにより、特別表示部４０、保留表示部４３および状態表示部４４の存在を容易に認識させることなく、ラウンド回数表示部４１および普通表示部４２の視認性を高めることができる。しかも、ラウンド回数表示部４１では、３種類の各特定遊技状態に対応した各上限ラウンド回数毎に個別にラウンド回数表示ＬＥＤ５１Ａ,５１Ｂ,５１Ｃが点灯制御されるため、遊技者に対して成立した特定遊技状態の上限ラウンド回数を明確に明示し得る。
【００４７】
そして、ラウンド回数表記部６１および普通表記部６５を前記上限ラウンド回数表示部材６０に設けたので、ラウンド回数表記部６１および普通表記部６５を表示するに際して前側装飾板３４の前面３５に施される意匠形状が制約されることがなく、実施例に示した花や花びら等、様々な意匠を施すことが許容される。また、上限ラウンド回数表示部材６０が平板状部材であるから、ラウンド回数表記部６１および普通表記部６５を、印刷またはシール材貼着等の方法により簡易に表記することが可能である。更に、上限ラウンド回数表示部材６０を透明な合成樹脂製の成形部材としたので、前面３５を被覆するように前側装飾板３４の前側に該上限ラウンド回数表示部材６０を装着したとしても、該前側装飾板３４の前面３５に施した意匠が視認できると共に、ラウンド回数表示部４１、普通表示部４２および保留表示部４３のＬＥＤによる点灯状態を適切に透過表示させ得る。更にまた、上限ラウンド回数表示部材６０が前側装飾板３４に対して着脱可能となっているので、例えば設計変更による遊技内容の変更に伴い、特定遊技状態における各上限ラウンド回数を変更した場合は、該上限ラウンド回数表示部材６０だけを交換すればよく、設計変更等に対して容易に対応し得る。
【００４８】
(変更例)
前記装飾部材としての前側装飾板３４は、第１電飾ＬＥＤ３２を備えた大型装飾部材３０の一部として構成されたものに限定されず、例えば前側装飾板３４は、大型装飾部材３０と別部材として構成されて、該大型装飾部材３０に隣接して配置するようにしてもよい。
【００４９】
また前記前側装飾板３４を、第２電飾ＬＥＤ２１を備えた前記サイドランプ２０の一部として構成すれば、前記特別表示部４０、ラウンド回数表示部４１、普通表示部４２、保留表示部４３および状態表示部４４等の各表示部を、該サイドランプ２０が設置された遊技盤１０の下部左側周辺に設けることができる。更に、前記前側装飾板３４を、第２電飾ＬＥＤ２１を備えた前記サイドランプ２０に隣接して装着する部材として構成しても、前記特別表示部４０、ラウンド回数表示部４１、普通表示部４２、保留表示部４３および状態表示部４４等の各表示部を、該サイドランプ２０が設置された遊技盤１０の下部左側周辺に設けることができる。
【００５０】
前記実施例では、特別表示部４０、ラウンド回数表示部４１、普通表示部４２、保留表示部４３および状態表示部４４を、１枚の機能表示基板４５に纏めて設置した場合を例示したが、必ずしもこれら全ての表示部４０,４１,４２,４３,４４を同一の機能表示基板４５に纏める必要はない。大型装飾部材３０における設置部位の広さ、形状等により、例えば特別表示部４０とラウンド回数表示部４１だけを１枚の機能表示基板４５に設置するようにする等、様々な態様に変更することが可能である。
【００５１】
前記実施例では、上限ラウンド回数表示部材６０に、ラウンド回数表記部６１の他に普通表記部６５を設けた形態を例示したが、上限ラウンド回数表示部材６０には少なくともラウンド回数表記部６１だけを形成すればよい。また上限ラウンド回数表示部材６０は、前側装飾板３４のサイズが大きい場合には、ラウンド回数表示部４１の側方または近傍に位置するように該前側装飾板３４に設置してもよい。そして、上限ラウンド回数表示部材６０をラウンド回数表示部４１の側方または近傍に設置する場合には、該上限ラウンド回数表示部材６０は、透明な素材から形成された成形部材以外に、半透明または不透明な素材から形成するようにしてもよい。
【００５２】
前記上限ラウンド回数表示部材６０は、前側装飾板３４の前面３５を透過視認し得るものであれば、材質は合成樹脂に限定されない。例えば上限ラウンド回数表示部材６０は、透明なガラスから形成されたものでもよい。
【００５３】
前記上限ラウンド回数表示部材６０は、前記ラウンド回数表示部４１の各ラウンド回数表示ＬＥＤ５１Ａ,５１Ｂ,５１Ｃおよび前記普通表示部４２の各普通表示ＬＥＤ５２Ａ,５２Ｂに対応した部位に、これら表示ＬＥＤからの光が通過し得る孔を形成し、該孔に対応して前記ラウンド回数表記部６１および普通表記部６５を表記するようにしてもよい。このような孔を備えた上限ラウンド回数表示部材６０は、不透明な素材から形成することが可能であると共に、表面にメッキや塗装等を施すことが可能である。
【００５４】
前記前側装飾板３４は、前記特別表示部４０、ラウンド回数表示部４１、普通表示部４２、保留表示部４３の各表示ＬＥＤに対応した部位に、これら表示ＬＥＤからの光が通過し得る孔を形成するようにしてもよい。このような孔を備えた前側装飾板３４は、不透明な素材から形成することが可能であると共に、前面３５にメッキや塗装等を施すことも可能である。
【００５５】
前記実施例では、３種類の特定遊技状態を発現し得るパチンコ機を前提として、各特定遊技状態毎に個別に対応した３個のラウンド回数表示ＬＥＤ５１Ａ,５１Ｂ,５１Ｃを備えたラウンド回数表示部４１を例示したが、該ラウンド回数表示部４１の形態はこれに限定されるものではない。例えば、２種類の特定遊技状態を発現し得るパチンコ機では、１個のラウンド回数表示ＬＥＤのみを備えて、点灯および点滅により両特定遊技状態を表示するようにしてもよい。
【図面の簡単な説明】
【００５６】
【図１】実施例のパチンコ機を構成する遊技盤の正面図である。
【図２】大型装飾部材の一部をなして前面に意匠が施された前側装飾板の裏側に、特別表示部、ラウンド回数表示部、普通表示部、保留表示部および状態表示部を設置した１枚の機能表示基板を配置した状態を示した説明図である。
【図３】前側装飾板の裏側に配設された特別表示部、ラウンド回数表示部、普通表示部、保留表示部と、該前側装飾板の前側に配設した上限ラウンド回数表示部材とを示した説明図である。
【図４】特別表示部、ラウンド回数表示部、普通表示部、保留表示部および状態表示部を設置した機能表示基板と、前側装飾板と、上限ラウンド回数表示部材とを、分離させた状態で示した説明図である。
【図５】(ａ)は、上限ラウンド回数表示部材を裏側から見た斜視図、(ｂ)は、上限ラウンド回数表示部材の正面図である。
【図６】実施例のパチンコ機の構成を概略的に示したブロック図である。
【符号の説明】
【００５７】
１０遊技盤，１６特別入賞装置，３０大型装飾部材(遊技部品)
３１前面(大型装飾部材３０の)，３２第１電飾ＬＥＤ(発光手段)
３４前側装飾板(装飾部材)，３５前面(前側装飾板３４の)
４０特別表示部，４１ラウンド回数表示部，４５機能表示基板(基板)
５０特別表示ＬＥＤ(発光手段)，５１Ａ第１ラウンド回数表示ＬＥＤ(発光手段)
５１Ｂ第２ラウンド回数表示ＬＥＤ(発光手段)
５１Ｃ第３ラウンド回数表示ＬＥＤ(発光手段)
６０上限ラウンド回数表示部材，６１ラウンド回数表記部(表記部)
７０主制御手段
【図１】
2009011680.tif 000003
【図２】
2009011680.tif 000004
【図３】
2009011680.tif 000005
【図４】
2009011680.tif 000006
【図５】
2009011680.tif 000007
【図６】
2009011680.tif 000008